(57)【特許請求の範囲】
【請求項１】
矩形のトレイを立て掛けるトレイスタンドであって、
一定間隔で配列される複数の仕切り部材と、
前記複数の仕切り部材を支持する横枠と、
隣り合う前記仕切り部材の間に立て掛けられる前記トレイを下側から２点で支持する第１支持部材および第２支持部材と、を備え、
前記複数の仕切り部材のそれぞれは、前記複数の仕切り部材の配列方向に傾いており、
前記第１支持部材と前記トレイとが接触する第１接触点と、前記第２支持部材と前記トレイとが接触する第２接触点は、異なる高さに位置し、
前記トレイが、物品を載せる凹部と、前記凹部の外周縁から張り出す縁部と、を有し、前記凹部の底面の外周縁から前記縁部に向けて立ち上がる傾斜面を備えている場合に、
前記トレイの厚さ方向に対する前記傾斜面の傾斜角度であるθｔよりも、鉛直方向に対する前記仕切り部材の傾斜角度であるθｓの方が小さいことを特徴とするトレイスタンド。
【請求項２】
前記仕切り部材は、下枠と、前記下枠の端部から立ち上がる側枠を備え、
前記第１支持部材は、複数の前記下枠と交差する棒状部材であり、
前記第２支持部材は、複数の前記側枠と交差する棒状部材であることを特徴とする請求項１に記載のトレイスタンド。
【請求項３】
前記第２支持部材は、上下に傾斜する筒部材であることを特徴とする請求項１または２に記載のトレイスタンド。
【請求項４】
洗浄室と、前記洗浄室内で液体を噴出させて当該洗浄室に投入された被洗浄物を洗浄する洗浄機構と、前記洗浄機構による洗浄の後に前記洗浄室内に空気を供給して前記被洗浄物を乾燥させる送風機構と、を備える洗浄機による前記被洗浄物の洗浄に用いられ、
前記被洗浄物がトレイである場合に、前記トレイを隣り合う前記仕切り部材の間に立て掛けた状態で前記洗浄室に配置可能であることを特徴とする請求項１から３のいずれか一項に記載のトレイスタンド。
【発明の詳細な説明】
【技術分野】
【０００１】
本発明は、医療器具などを載せるトレイを立て掛けるトレイスタンドに関する。
【背景技術】
【０００２】
洗浄室に投入した医療器具を、洗浄室内で温水を噴出させて洗浄する医療器具の洗浄機が特許文献１に記載されている。同文献の洗浄機は、医療器具を洗浄する洗浄工程の後に、洗浄室内に空気を導入して医療器具を乾燥させる乾燥工程を行う。
【先行技術文献】
【特許文献】
【０００３】
【特許文献１】特開２００５−１３５１１号公報
【発明の概要】
【発明が解決しようとする課題】
【０００４】
医療器具の洗浄機を用いて、医療器具を載せる薄型のトレイを洗浄する場合、多数のトレイを並べて立て掛けることのできるトレイスタンドを用いる。ここで、洗浄対象であるトレイと、従来のトレイスタンドの例について図６、図１１、図１２を参照して説明する。図６はトレイの説明図であり、図６（ａ）〜（ｄ）はトレイの平面図、正面図、底面図、側面図であり、図６（ｅ）は断面図（図６（ａ）のＤ−Ｄ断面図）である。また、図１１は従来のトレイスタンドの説明図であり、図１１（ａ）はトレイスタンドの平面図であり、図１１（ｂ）は側面図であり、図１１（ｃ）は正面図である。また、図１２は、従来のトレイスタンドにトレイを立てた状態を示す説明図であり、図１２（ａ）は側面図、図１２（ｂ）は正面図であり、図１２（ｃ）は図１２（ａ）の領域Ｅの部分拡大図、図１２（ｄ）は図１２（ａ）の領域Ｆの部分拡大図である。
【０００５】
図６に示すように、洗浄対象のトレイ１００は全体として矩形であり、歯科用ハンドピースなどを置くための凹部１１０と、凹部１１０の外周縁から張り出す縁部１２０を備える。凹部１１０は矩形であり、凹部１１０の内側面は、平坦な底面１１１と、底面１１１の外周縁から縁部１２０に向けて立ち上がる傾斜面１１２を備える（図６（ｅ）参照）。一方、縁部１２０は、傾斜面１１２の上端から張り出すフランジ部１２１を備え、フランジ部１２１の長手方向の２辺には、それぞれ、略直角に屈曲して後方に突出する折り返し部１２２が形成されている。折り返し部１２２は、トレイ１００の角部には形成されていない。
【０００６】
従来のトレイスタンド９００は、図１１（ａ）〜（ｃ）に示すように、一定間隔で配列される複数の仕切り部材９２０と、複数の仕切り部材９２０を支持する矩形の上枠９１０と、仕切り部材９２０の下端に固定された２本の支持部材９３１、９３２を備える。複数の仕切り部材９２０は、上下方向Ｚ（すなわち、鉛直方向）に対して同一の傾斜角度θｓで傾いている。従来のトレイスタンド９００は、図１２（ａ）に示すように、トレイ１００をその厚さ方向Ｌ（図６（ｅ）参照）に傾斜した姿勢で立て掛ける。図１２（ｂ）に示すように、トレイ１００の下端は同一高さに位置する２本の支持部材９３１、９３２によって支持されるため、トレイ１００は幅方向に水平な姿勢となる。
【０００７】
しかしながら、トレイ１００には凹部１１０が形成されており、また、縁部１２０は折り返し形状であるため、図１２に示すような姿勢でトレイ１００が立っていると、トレイ１００の洗浄を行った場合にこれらの箇所に洗浄用の液体が溜まるおそれがある。例えば、図１２（ｃ）に示すように、トレイ１００の下端縁では、トレイ１００の縁部１２０が
上向きの凹形状となるので、縁部１２０に洗浄用の液体が溜まるおそれがある。一方、図１２（ｄ）に示すように、トレイ１００の上端縁では、トレイ１００の傾斜面１１２が下向きに傾斜した状態になっていれば液体は溜まらない。しかしながら、トレイ１００の厚さ方向Ｌに対する傾斜面１１２の傾斜角度θｔ（図６（ｅ）参照）が仕切り部材９２０の傾斜角度θｓよりも小さい場合には、傾斜面１１２が図１２（ｄ）において仮想線Ｇで示す角度になる。従って、傾斜面１１２とフランジ部１２１が上向きの凹形状となり、ここに水が溜まるおそれがある。
あるいは、トレイ１００を表裏逆にして立て掛けた場合、凹部１１０の下側の縁が上向きの凹形状となり、洗浄用の液体が溜まるおそれがある。
【０００８】
トレイ１００に洗浄用の液体が溜まると、完全に乾燥するまでの乾燥時間が長くかかるので、乾燥効率が低下する。また、液体が完全に乾燥しきらない状態で乾燥工程が終了してしまうと、トレイスタンド９００ごとトレイ１００を洗浄機から取り出す際にトレイスタンド９００が傾き、トレイ１００に溜まっていた液体がこぼれ出す。従って、乾燥済みの部分が再び濡れてしまうおそれがある。
【０００９】
本発明の課題は、このような点に鑑みて、トレイを立て掛けて液体で洗浄した場合に、トレイに液体が溜まるおそれが少ないトレイスタンドを提供することにある。
【課題を解決するための手段】
【００１０】
上記の課題を解決するために、本発明は、矩形のトレイを立て掛けるトレイスタンドであって、一定間隔で配列される複数の仕切り部材と、前記複数の仕切り部材を支持する横枠と、隣り合う前記仕切り部材の間に立て掛けられる前記トレイを下側から２点で支持する第１支持部材および第２支持部材と、を備え、前記複数の仕切り部材のそれぞれは、前記複数の仕切り部材の配列方向に傾いており、前記第１支持部材と前記トレイとが接触する第１接触点と、と前記第２支持部材と前記トレイとが接触する第２接触点は、異なる高さに位置し、前記トレイが、物品を載せる凹部と、前記凹部の外周縁から張り出す縁部と、を有し、前記凹部の底面の外周縁から前記縁部に向けて立ち上がる傾斜面を備えている場合に、前記トレイの厚さ方向に対する前記傾斜面の傾斜角度であるθｔよりも、鉛直方向に対する前記仕切り部材の傾斜角度であるθｓの方が小さいことを特徴とする。
【００１１】
本発明によれば、トレイが立て掛けられる仕切り部材がその配列方向に傾いており、トレイを下側から２点で支持する第１接触点と第２接触点が異なる高さに位置する。従って、トレイをその厚さ方向に倒すように傾けて立てることができ、且つ、一方の側端を持ち上げる方向に傾けて立てることができる。このように、トレイを２方向に傾けると、トレイの縁が水平にならずに上下に傾くため、トレイの縁に設けられた折り返し部に液体が流入したとしても、液体はトレイの角部に向けて流れ落ちる。よって、折り返し部に液体が溜まるおそれが少ない。また、本発明によれば、トレイが、物品を載せる凹部と、凹部の外周縁から張り出す縁部と、を有し、凹部の底面の外周縁から縁部に向けて立ち上がる傾斜面を備えている場合に、トレイの厚さ方向に対する傾斜面の傾斜角度であるθｔよりも、鉛直方向に対する仕切り部材の傾斜角度であるθｓの方が小さい。従って、仕切り部材にトレイを立て掛けた場合に傾斜面が下向きになるので、トレイの凹部に液体が溜まることを防止できる。
【００１２】
本発明において、前記仕切り部材は、下枠と、前記下枠の端部から立ち上がる側枠を備え、前記第１支持部材は、複数の前記下枠と交差する棒状部材であり、前記第２支持部材は、複数の前記側枠と交差する棒状部材であることが望ましい。このようにすれば、複数の仕切り部材の下端（下枠）と交差するように棒状部材を取り付け、複数の仕切り部材の側端（側枠）と交差するように棒状部材を取り付けるだけよい。従って、簡単な構造で、トレイを２方向に傾けた姿勢で立てることができる。
【００１３】
本発明において、前記第２支持部材は、上下に傾斜する筒部材であることが望ましい。このようにすれば、第２支持部材として筒部材を用いた場合に、その内部に液体が溜まることを防止できる。
【００１５】
本発明において、洗浄室と、前記洗浄室内で液体を噴出させて当該洗浄室に投入された被洗浄物を洗浄する洗浄機構と、前記洗浄機構による洗浄の後に前記洗浄室内に空気を供給して前記被洗浄物を乾燥させる送風機構と、を備える洗浄機による前記被洗浄物の洗浄に用いられ、前記被洗浄物がトレイである場合に、前記トレイを隣り合う前記仕切り部材の間に立て掛けた状態で前記洗浄室に配置可能であることが望ましい。このようにすると、洗浄機でトレイを洗浄する場合に、乾燥効率が低下するおそれが少ない。また、乾燥工程の後にトレイスタンドごとトレイを洗浄室から取り出すときに、トレイに溜まった液体が流れ落ちて乾燥済みの部分が濡れるおそれが少ない。
【発明の効果】
【００１６】
本発明によれば、トレイを２方向に傾けることができる。従って、トレイの縁が水平にならずに上下に傾くため、トレイの縁に設けられた折り返し部に液体が流入したとしても、液体はトレイの角部に向けて流れ落ちる。よって、折り返し部に液体が溜まるおそれが少ない。また、トレイが、物品を載せる凹部と、凹部の外周縁から張り出す縁部と、を有し、凹部の底面の外周縁から縁部に向けて立ち上がる傾斜面を備えている場合に、仕切り部材にトレイを立て掛けた場合に傾斜面が下向きになるので、トレイの凹部に液体が溜まることを防止できる。
【図面の簡単な説明】
【００１７】
【図１】洗浄機の正面図および側面図である。
【図２】開閉扉を開いた状態の洗浄機の正面図である。
【図３】背面カバーを外した状態の洗浄機の背面図である。
【図４】図３のＡ−Ａ線における断面図およびＢ−Ｂ線における断面図である。
【図５】洗浄対象の医療器具を洗浄室に配置する状況を示す説明図である。
【図６】トレイの説明図である。
【図７】本発明を適用したトレイスタンドの説明図である。
【図８】図７のトレイスタンドにトレイを立てた状態を示す説明図である。
【図９】本発明を適用した別の形態のトレイスタンドの説明図である。
【図１０】本発明を適用した別の形態のトレイスタンドの説明図である。
【図１１】従来のトレイスタンドの説明図である。
【図１２】図１１のトレイスタンドにトレイを立てた状態を示す説明図である。
【発明を実施するための形態】
【００１８】
以下に、図面を参照して、本発明を適用したトレイスタンド、および、トレイスタンドを用いてトレイを洗浄する洗浄機とその洗浄動作を説明する。
【００１９】
（洗浄機）
図１（ａ）は洗浄機の正面図であり、図１（ｂ）は洗浄機の側面図である。図２は開閉扉を開いた状態の洗浄機の正面図である。洗浄機は歯科用ハンドピースや、歯科用ハンドピースを載せるトレイなどの医療器具の洗浄および乾燥を行う。図１に示すように、洗浄機１は、全体として直方体形状の筐体２を備える。筐体２の前面の上側部分には、筐体２内に区画された洗浄室３（図２参照）を開閉する開閉扉４が取り付けられている。以下では、互いに直交する３方向を前後方向Ｘ、幅方向Ｙ、上下方向Ｚとして説明する。
【００２０】
図１に示すように、開閉扉４は起立した姿勢で閉位置に配置される。閉位置に配置された開閉扉４の上端部分には操作パネル５が設けられている。図２に示すように、閉位置にある開閉扉４を前方に回動させて水平とすると、筐体２内に区画された洗浄室３が開放状態となる。
【００２１】
図１に示すように、筐体２の側面にはラック６が取り付けられている。ラック６には洗剤タンク７、仕上げ剤タンク８が搭載されている。洗剤タンク７および仕上げ剤タンク８のそれぞれには、洗剤導入管９および仕上げ剤導入管１０が接続されている。洗剤導入管９および仕上げ剤導入管１０の先端側は筐体２の側面から内部に引き込まれている。また、筐体２の側面には、温水供給管１１、水供給管１２、排水管１３が接続されている。
【００２２】
図３は筐体２を構成する背側カバー１４を取り外した状態の洗浄機１の背面図である。図４（ａ）は図３のＡ−Ａ線における洗浄機１の縦断面図であり、図４（ｂ）は図２のＢ−Ｂ線における洗浄機１の縦断面図である。図３および図４に示すように、筐体２の内部は上下方向Ｚに延びる縦仕切板１５により前後に区画されている。また、筐体２の内部は、縦仕切板１５の下端から前方に延びる横仕切板１６により上下に部分的に区画されている。図４に示すように、縦仕切板１５の前側および横仕切板１６の上側の区画は洗浄室３である。図３、図４に示すように、縦仕切板１５の後方の区画は配管室１７である。横仕切板１６の下方の区画には加熱室１８と機械室１９が設けられている。
【００２３】
図２に示すように、洗浄室３内には、医療器具を収容するための網状の第１ラック２１および第２ラック２２が配置されている。第１ラック２１および第２ラック２２はステンレス製である。第１ラック２１は第２ラック２２の下方に位置する。第１ラック２１は、洗浄室３の左右の側壁面の同一の高さ位置に設けられた一対の第１レール（図示省略）に支持されている。一対の第１レールは前後方向Ｘに延びている。第１ラック２１の幅方向Ｙの両端には、それぞれ、第１レールの上を走行する車輪２３が取り付けられている。第１ラック２１は一対の第１レールに沿って前後方向Ｘに移動可能である。第２ラック２２は、一対の第１レールの上方で洗浄室３の左右の側壁面の同一の高さ位置に設けられた一対の第２レール２４に支持されている。一対の第２レール２４は前後方向Ｘに延びており、第２ラック２２は一対の第２レール２４に沿って前後方向Ｘに移動可能である。医療器具は第１ラック２１および第２ラック２２に載せられて洗浄される。
【００２４】
図５は洗浄対象の医療器具を洗浄室３に配置する状況を示す説明図であり、図５（ａ）は開閉扉４を開けた洗浄機１に医療器具を載せた第１ラック２１および第２ラック２２を出し入れする途中の状態を示す側面図である。また、図５（ｂ）は医療器具を載せた第１ラック２１および第２ラック２２が洗浄室３に配置された状態を示す正面図である。図５に示すように、洗浄室３の下部空間に配置される第１ラック２１には、トレイ１００を立て掛けたトレイスタンド２００が載置される。トレイスタンド２００は多数のトレイ１００を２方向に傾けて立て掛けることができる。トレイスタンド２００の詳細な構成は後述する。
【００２５】
洗浄室３の上部空間に配置される第２ラックには、歯科用ハンドピースなどを入れたメッシュバスケット３００が配置される。なお、トレイスタンド２００とメッシュバスケット３００は、第１ラック２１と第２ラック２２のどちらに載せてもよい。図５（ａ）に示すように、開閉扉４を前方に倒すと、洗浄室３内の第１レール（図示省略）と開閉扉４とが同一面上に位置する。従って、車輪２３付きの第１ラック２１を開閉扉４の上に引き出すことができる。また、第２レール２４に沿って第２ラック２２をスライドさせて出し入れすることができる。
【００２６】
図２に示すように、洗浄室３の後壁面（縦仕切板１５）の下端部分の幅方向Ｙの右側部分には、２つの空気供給口２５が設けられている。２つの空気供給口２５は、第１ラック２１の下方に位置する。洗浄室３の後壁面の上端部分の幅方向Ｙの左側部分には、空気排出口２６が設けられている。空気排出口２６には前方から矩形箱型の内側カバー２７が被せられている。内側カバー２７は、下方を向く下板部分にカバー開口部２８を備える。また、内側カバー２７は、空気排出口２６と対向する対向板の左側部分に複数の矩形開口部
２９を備える。洗浄室３と空気排出口２６は、カバー開口部２８および複数の矩形開口部２９を介して連通する。
【００２７】
図４（ａ）に示すように、洗浄室３内には、第１液体噴出器３１、第２液体噴出器３２および第３液体噴出器３３が配置されている。第１液体噴出器３１は、第１ラック２１の下方に配置されている。第１液体噴出器３１は、洗浄室３の底面に近い位置を前後方向Ｘに水平に延びる第１液体供給管３５と、第１液体供給管３５の前端部分に回転可能に支持された第１回転ノズル３６を備える。第１回転ノズル３６は、その外周面の上側部分に複数のノズル３７を備える。第１液体供給管３５の後端開口は洗浄室３の後壁面（縦仕切板１５）の下端部分の中央に設けられた第１液体供給口３８に接続されている。第１液体供給口３８および第１液体供給管３５を介して水などの液体が供給されると、第１回転ノズル３６は各ノズルから液体を上方に噴出しながら第１液体供給管３５の上側で水平方向に回転する。
【００２８】
第２液体噴出器３２は、第２ラック２２の下側部分に第２ラック２２と一体に構成されている。第２液体噴出器は、前後方向Ｘに水平に延びる第２液体供給管４１と、第２液体供給管４１の前端部分に回転可能に支持された第２回転ノズル４２を備える。第２回転ノズル４２は、その外周面の上側部分および下側部分に複数のノズル４３を備える。第２液体供給管４１の後端開口は洗浄室３の後壁面の中央に設けられた第２液体供給口４４に着脱可能に接続されている。第２液体供給口４４および第２液体供給管４１を介して水などの液体が供給されると、第２回転ノズル４２は各ノズル４３から液体を上下方向Ｚに噴出しながら第２液体供給管４１の下側で水平方向に回転する。
【００２９】
第３液体噴出器３３は、第２ラック２２の上方に配置されている。第３液体噴出器３３は、洗浄室３の天井中央に近い位置を前後方向Ｘに水平に延びる第３液体供給管４６と、第３液体供給管４６の前端部分に回転可能に支持された第３回転ノズル４７を備える。第３回転ノズル４７は、その外周面の下側部分に複数のノズル４８を備える。第３液体供給管４６の後端開口は配管室１７を上下方向Ｚに延びる液体循環用配管６３に接続されている。第３液体供給管４６を介して水などの液体が供給されると、第３回転ノズル４７は各ノズル４８から液体を下方に噴出しながら第３液体供給管の下側で水平方向に回転する。
【００３０】
図４（ａ）に示すように、横仕切板１６を間に挟んだ洗浄室３の下側には加熱室１８が設けられている。加熱室１８は、洗浄室３の幅方向Ｙの中央部分を前後方向Ｘに延びる。加熱室１８内には液体加温用ヒーター５１が設置されている。加熱室１８の底を規定する底板５２は前方に向かって下方に傾斜している。加熱室１８の前方には円形凹部５３が設けられている。円形凹部５３の開口部には上方からストレーナー５４が着脱可能に装着されている。ここで、温水供給管１１および水供給管１２は加熱室１８または洗浄室３の下側部分に接続されている。
【００３１】
横仕切板１６の後端部分の加熱室１８と重なる位置には、矩形の後側開口部５５が形成されている。加熱室１８と洗浄室３は後側開口部５５を介して連通する。後側開口部５５は複数のスリットまたは網を備える蓋部材により上方から覆われている。また、横仕切板１６の前端部分には、上方から見た場合に円形凹部５３と重なる位置に矩形の前側開口部５６が形成されている。前側開口部５６は複数のスリットまたは網を備える蓋部材により上方から着脱可能に覆われている。
【００３２】
機械室１９において、加熱室１８の下方には循環ポンプ６２が配置されている。循環ポンプ６２は吸水管６０を介して円形凹部５３と接続されている。また、循環ポンプ６２は、配管室１７において縦仕切板１５の後側を上下方向Ｚに延びる液体循環用配管６３を介して第１液体供給口３８、第２液体供給口４４および第３液体供給管４６と接続されてい
る。循環ポンプ６２は、円形凹部５３から吸引した洗浄液を第１液体供給口３８、第２液体供給口４４および第３液体供給管４６に圧送する。すなわち、循環ポンプ６２は、洗浄機１内で洗浄液を循環させる。ここで、吸水管６０、循環ポンプ６２、液体循環用配管６３、および第１〜第３液体噴出器３１〜３３は、洗浄室３内で水を噴出して当該洗浄室３に投入された医療器具を洗浄する洗浄機構６４を構成する。
【００３３】
また、機械室１９には排水ポンプ６６が配置されている。排水ポンプ６６は装置内排水管６１を介して円形凹部５３と接続されている。また、排水ポンプ６６の排水側は排水管１３に接続されている。ここで、円形凹部５３、装置内排水管６１、および、排水管１３は、洗浄室３内の水を外部に排出する排水路６７を構成する。排水ポンプ６６は洗浄室３および加熱室１８から流れ出て円形凹部５３に溜まる洗浄液を吸引して装置内排水管６１および排水管１３を介して外部に排出する。
【００３４】
さらに、機械室１９には、温風送風器７０が配置されている。図４（ｂ）に示すように、温風送風器７０は、空気流通方向の上流側から下流側に向ってＨＥＰＡ（ｈｉｇｈｅｆｆｉｃｉｅｎｃｙｐａｒｔｉｃｕｌａｔｅａｉｒ）フィルタ７１、送風ファン７２、および、空気加温用ヒーター７３をこの順番に備える。温風送風器７０は、配管室１７に配設された２本の送風管７４を介して洗浄室３の空気供給口２５に接続されている。二本の送風管７４のそれぞれは、洗浄室３から温風送風器７０に液体が流れ込むのを抑制するために、温風送風器７０から上方に延びた後に湾曲して下方に延び、その下端部分が空気供給口２５に接続されている。温風送風器７０は空気を加温して洗浄室３内に送り込む。温風送風器７０および送風管７４は送風機構７５を構成する。
【００３５】
図３に示すように、配管室１７には排気冷却機構７８が設置されている。排気冷却機構７８は、空気排出口２６を介して洗浄室３から外部に排出される排気を冷却する。排気冷却機構７８は、空気排出口２６に接続された接続口７９および当該接続口７９と連通する排気口８０を備える凝縮タンク８１と、凝縮タンク８１内に設けられた散水ノズル８２と、給水タンク８３を備える。給水タンク８３は水供給管１２に接続されており、水供給管１２から供給される水は、給水タンク８３を介して散水ノズル８２に供給される。水供給管１２と給水タンク８３の間にはバルブ機構８４が設けられている。水供給管１２、給水タンク８３およびバルブ機構８４は、散水ノズル８２に水を供給する給水機構８５を構成する。
【００３６】
（制御系）
洗浄機１の制御系は、ＣＰＵ、ＲＯＭ、ＲＡＭなどを備える制御部（図示省略）を中心に構成されている。制御部の入力側には操作パネル５とセンサー機構（図示省略）が接続されている。センサー機構には、洗浄室３の室内温度を検出する温度センサー、温水や熱水の温度を検出する液温センサー、排気冷却機構７８のオーバーフローセンサー、洗剤タンク７に貯留された洗剤の液量を検出する洗剤液面センサー、仕上げ剤タンク８に貯留された仕上げ剤の液量を検出する仕上げ剤液面センサーなどが含まれる。制御部の出力側には、液体加温用ヒーター５１、循環ポンプ６２、排水ポンプ６６、温風送風器７０の送風ファン７２および空気加温用ヒーター７３、並びに、バルブ機構８４などが接続されている。制御部は操作パネル５が操作されると、ＲＯＭなどに記憶保持されたプログラムに従って洗浄動作を行う。制御部は、液体加温用ヒーター５１、循環ポンプ６２、排水ポンプ６６、温風送風器７０の空気加温用ヒーター７３および送風ファン７２、バルブ機構８４を駆動制御して洗浄動作を行う。
【００３７】
（洗浄動作）
医療器具を洗浄する際には、医療器具を載置した第１ラック２１や第２ラック２２を洗浄室３内に配置して、開閉扉４を閉めて操作パネル５を操作する。操作パネル５が操作さ
れると、洗浄機１は、洗浄動作として、予備洗浄工程、本洗浄工程、すすぎ工程、熱水消毒工程、乾燥工程を行う。
【００３８】
予備洗浄工程では、洗浄室３内で第１液体噴出器３１、第２液体噴出器３２および第３液体噴出器３３から水を噴出させて医療器具を洗浄する。予備洗浄後、排水ポンプ６６を駆動して外部に水を排出する。次に、本洗浄工程では、洗剤タンク７から洗剤導入管９を介して液体循環用配管６３内に洗剤を導入し、水または温水に洗剤を加えた洗浄液を洗浄室３内で噴出させて医療器具を洗浄する。洗剤は酵素洗剤である。本洗浄後、外部に洗浄液を排出する。続いて、すすぎ工程では、水またはお湯を用いて予備洗浄工程と同様の動作を行うことにより、医療器具をすすぐ。すすぎ工程の終了後、外部に水を排出する。そして、熱水消毒工程（熱水洗浄工程）では、熱水に仕上げ剤を加えた仕上げ液で医療器具を洗浄する。乾燥工程では、温風送風器７０を駆動して、熱水の温度よりも低い温度の空気を空気供給口２５から洗浄室３内に導入して医療器具を乾燥させる。乾燥工程が終了すると、洗浄動作は終了する。これにより、洗浄室３内に投入された医療器具の洗浄が完了する。
【００３９】
（トレイスタンド）
図７は本発明を適用したトレイスタンド２００の説明図であり、図７（ａ）はトレイスタンドの平面図であり、図７（ｂ）は側面図であり、図７（ｃ）は正面図である。洗浄対象のトレイ１００は、既に説明したように、図６に示す形状をしている。すなわち、トレイ１００は、凹部１１０と、凹部１１０の外周縁から張り出す縁部１２０を備えており、縁部１２０はフランジ部１２１と折り返し部１２２を備える。また、凹部１１０の内側面は底面１１１と傾斜面１１２によって構成される。図６（ｅ）に示すように、トレイ１００の厚さ方向Ｌに対する傾斜面１１２の傾斜角度をθｔとする。
【００４０】
図７に示す前後方向Ｘ、幅方向Ｙ、上下方向Ｚは、トレイスタンド２００が洗浄室３に配置される場合（図５参照）の方向である。トレイスタンド２００は、ステンレス等の素材からなる円形断面の棒状部材を組み立てて形成されている。トレイスタンド２００は、矩形の上枠２１０と、上枠２１０に固定された複数の仕切り部材２２０と、複数の仕切り部材２２０に下側から固定された２本の棒状の第１支持部材２３１、２３２と、複数の仕切り部材２２０に側方から固定された１本の棒状の第２支持部材２３３を備える。
【００４１】
上枠２１０は、その長手方向に延在する一対の横枠２１１、２１２と、横枠２１１、２１２の端部同士を連結する一対の縦枠２１３、２１４を備える。一対の横枠２１１、２１２は、トレイ１００の長手方向の幅Ｈ（図６（ａ）参照）よりも大きい間隔を空けて平行に配置されている。横枠２１１、２１２の間には、複数の仕切り部材２２０が一定間隔で前後方向Ｘに配列されている。複数の仕切り部材２２０は、幅方向Ｙの両端が横枠２１１、２１２に固定されており、横枠２１１、２１２によって支持されている。
【００４２】
仕切り部材２２０は、下枠２２１と、下枠２２１の両端から立ち上がる一対の側枠２２２、２２３と、側枠２２２、２２３の上端から幅方向Ｙの外側に延びる腕部２２４、２２５を備える。側枠２２２、２２３の間隔は横枠２１１、２１２の間隔よりも狭いため、腕部２２４、２２５は横枠２１１、２１２に向けて幅方向Ｙの外側に延びている。腕部２２４の先端は横枠２１１に接合され、腕部２２５の先端は横枠２１２に接合されている。
【００４３】
仕切り部材２２０は、下枠２２１、側枠２２２、２２３、および腕部２２４、２２５が同一平面内に位置する形状であり、水平な下枠２２１を中心として、前後方向Ｘに傾いている。前後方向Ｘは仕切り部材２２０の配列方向である。図７（ｂ）に示すように、上下方向Ｚ（すなわち、鉛直方向）に対する仕切り部材２２０の傾斜角度θｓは、仕切り部材２２０の上端と下端の位置ずれ量が仕切り部材２２０の配列間隔ｄ（図７（ａ）参照）と
一致する角度である。従って、図７（ａ）に示すように、トレイスタンド２００を上方から見たとき、隣り合う仕切り部材２２０の上端と下端（すなわち、腕部２２４、２２５と下枠２２１）が重なり合っている。
【００４４】
仕切り部材２２０の傾斜角度θｓは、上述したトレイ１００の厚さ方向Ｌに対する傾斜面１１２の傾斜角度θｔよりも小さい角度である。このような角度であれば、トレイ１００を表裏逆にして立ててしまい、その結果トレイ１００の凹部１１０が上向きになったとしても、傾斜面１１２が下向きに傾斜する面となる。従って、洗浄時に凹部１１０に流入した液体が、底面１１１と傾斜面１１２とが繋がる角部に溜まることを防止できる。
【００４５】
ここで、仕切り部材２２０の配列間隔ｄ（図７（ａ）参照）は、トレイ１００の厚さよりも大きいので、仕切り部材２２０の間にトレイ１００を立て掛けた場合、上下方向Ｚに対するトレイ１００の傾斜角度は仕切り部材２２０の傾斜角度θｔ以上になることが想定される。トレイ１００の傾斜角度の最大値は、仕切り部材２２０の傾斜角度θｓとトレイ１００の厚さ、および、仕切り部材２２０の配列間隔ｄ等に基づいて算出可能である。従って、トレイ１００の傾斜角度の最大値よりも傾斜面１１２の傾斜角度θｔのほうが小さくなるように、トレイスタンド２００の形状を設定することもできる。
【００４６】
第１支持部材２３１、２３２は、複数の下枠２２１の下側で各下枠２２１と直交する方向に延在しており、各下枠２２１に接合されている。第１支持部材２３１、２３２は、下枠２２１と側枠２２２、２２３とが繋がる角部の近傍に位置しており、下枠２２１の幅方向Ｙの中央を基準として対称に配置されている。第１支持部材２３１、２３２は、第２支持部材２３３よりも太い円形断面の棒状部材である。第１支持部材２３１、２３２は、トレイスタンド２００が作業台の上やラック内に置かれるときにトレイスタンド２００の脚部として機能する。一方、第２支持部材２３３は、側枠２２２の幅方向Ｙの内側に配置される。第２支持部材２３３は、複数の側枠２２２と直交する方向に延在し、各側枠２２２に接合されている。
【００４７】
図８は、トレイスタンド２００にトレイ１００を立てた状態を示す説明図であり、図８（ａ）は側面図、図８（ｂ）は正面図である。トレイ１００は、長手方向が幅方向Ｙを向く姿勢で、隣り合う仕切り部材２２０の間に１枚ずつ配置される。図８（ａ）に示すように、仕切り部材２２０は前後方向Ｘに傾いているので、トレイ１００も前後方向Ｘに傾く。トレイ１００の上端側は、仕切り部材２２０の腕部２２４、２２５に当接して支持される。一方、図８（ｂ）に示すように、トレイ１００の下端は、第２支持部材２３３との接触点Ｐ２と、第１支持部材２３１との接触点Ｐ１と、によって２点で下側から支持される。第２支持部材２３３は第１支持部材２３１よりも上方に位置し、接触点Ｐ２は接触点Ｐ１よりも上方に位置するので、トレイ１００は、幅方向Ｙの一端を他端よりも上方に持ち上げる方向に傾く。
【００４８】
このように、トレイスタンド２００にトレイ１００を立てると、トレイ１００は、前後方向Ｘに傾くので、トレイ１００をその厚さ方向Ｌに傾けることができる。また、トレイ１００は、幅方向Ｙの一端を他端よりも持ち上げる方向に傾く。このように、トレイ１００が２方向に傾くと、トレイ１００に形成された凹部１１０を下向きにすることができるので、凹部１１０に洗浄用の液体が溜まるおそれが少ない。また、トレイ１００の縁部１２０が水平にならずに上下に傾くため、トレイ１００の縁部１２０に設けられた折り返し部１２２に液体が流入したとしても、液体はトレイ１００の角部に向けて流れる。そして、トレイ１００の角部には折り返し部１２２が設けられていないので、液体は角部に溜まらずに外部に流れ落ちる。よって、折り返し部１２２に液体が溜まるおそれが少ない。
【００４９】
なお、上記形態では、１本の棒状の第２支持部材２３３と、もう１本の棒状の第１支持
部材２３１によってトレイ１００を２点で支持する構造を実現しているが、トレイ１００を２点で支持する支持部材の形態はこのようなものに限定されるものではなく、別の形態の支持部材を用いてもよい。例えば、第１支持部材２３１、第２支持部材２３３は棒状でなく板状であってもよいし、１本でなく複数に分割されていてもよい。
【００５０】
図９、１０は、本発明を適用した別の形態のトレイスタンドの説明図である。まず、図９に示す形態について説明する。図９（ａ）はトレイスタンドの側面図であり、図９（ｂ）は正面図である。トレイスタンド２００Ａは、上枠２１０と、仕切り部材２２０と、第１支持部材２３１、２３２を備える。これらの構成は上記形態と同一である。一方、第２支持部材２３３Ａは筒状であり、上下に傾斜するように配置されている。第２支持部材２３３Ａとして筒状のパイプ材を用いる場合には、このように第２支持部材２３３Ａを傾斜させることによって、パイプ材の内部に液体が溜まることを防止できる。
【００５１】
次に、図１０に示す形態について説明する。図１０（ａ）はトレイスタンドの平面図であり、図１０（ｂ）は側面図、図１０（ｃ）は正面図である。トレイスタンド２００Ｂは、上枠２１０と、仕切り部材２２０と、第１支持部材２３１、２３２を備える。これらの構成は上記形態と同一である。一方、トレイスタンド２００Ｂは、下枠２２１と側枠２２２とが繋がる角部に配置された第２支持部材２３３Ｂと、下枠２２１と側枠２２３とが繋がる角部に配置された第１支持部材２３４を備える。本形態では、第２支持部材２３３Ｂが第１支持部材２３４よりも太いため、第２支持部材２３３Ｂとトレイ１００との接触点Ｐ２が、第１支持部材２３４とトレイ１００との接触点Ｐ１よりも上方に位置する。従って、トレイ１００を２方向に傾けて立てることができる。
【符号の説明】
【００５２】
１…洗浄機、２…筐体、３…洗浄室、４…開閉扉、５…操作パネル、６…ラック、７…洗剤タンク、８…仕上げ剤タンク、９…洗剤導入管、１０…仕上げ剤導入管、１１…温水供給管、１２…水供給管、１３…排水管、１４…背側カバー、１５…縦仕切板、１６…横仕切板、１７…配管室、１８…加熱室、１９…機械室、２１…第１ラック、２２…第２ラック、２３…車輪、２４…第２レール、２５…空気供給口、２６…空気排出口、２７…内側カバー、２８…カバー開口部、２９…矩形開口部、３１…第１液体噴出器、３２…第２液体噴出器、３３…第３液体噴出器、３５…第１液体供給管、３６…第１回転ノズル、３７…ノズル、３８…第１液体供給口、４１…第２液体供給管、４２…第２回転ノズル、４３…ノズル、４４…第２液体供給口、４６…第３液体供給管、４７…第３回転ノズル、４８…ノズル、５１…液体加温用ヒーター、５２…底板、５３…円形凹部、５４…ストレーナー、５５…後側開口部、５６…前側開口部、６０…吸水管、６１…装置内排水管、６２…循環ポンプ、６３…液体循環用配管、６４…洗浄機構、６６…排水ポンプ、６７…排水路、７０…温風送風器、７１…ＨＥＰＡフィルタ、７２…送風ファン、７３…空気加温用ヒーター、７４…送風管、７５…送風機構、７８…排気冷却機構、７９…接続口、８０…排気口、８１…凝縮タンク、８２…散水ノズル、８３…給水タンク、８４…バルブ機構、８５…給水機構、１００…トレイ、１１０…凹部、１１１…底面、１１２…傾斜面、１２０…縁部、１２１…フランジ部、１２２…折り返し部、２００、２００Ａ、２００Ｂ…トレイスタンド、２１０…上枠、２１１、２１２…横枠、２１３、２１４…縦枠、２２０…仕切り部材、２２１…下枠、２２２、２２３…側枠、２２４、２２５…腕部、２３１、２３２、２３４…第１支持部材、２３３、２３３Ａ、２３３Ｂ…第２支持部材、３００…メッシュバスケット、９００…トレイスタンド、９１０…上枠、９２０…仕切り部材、９３１、９３２…支持部材、ｄ…配列間隔、Ｈ…トレイの長手方向の幅、Ｌ…トレイの厚さ方向、Ｐ１…第１接触点、Ｐ２…第２接触点、Ｘ…前後方向、Ｙ…幅方向、Ｚ…上下方向、θｓ…仕切り部材の傾斜角度、θｔ…トレイの傾斜面の傾斜角度
【図１】
0006466808.tif 000002
【図２】
0006466808.tif 000003
【図３】
0006466808.tif 000004
【図４】
0006466808.tif 000005
【図５】
0006466808.tif 000006
【図６】
0006466808.tif 000007
【図７】
0006466808.tif 000008
【図８】
0006466808.tif 000009
【図９】
0006466808.tif 000010
【図１０】
0006466808.tif 000011
【図１１】
0006466808.tif 000012
【図１２】
0006466808.tif 000013